(57)【特許請求の範囲】
【請求項１】
ディスク状記録媒体が装着されるディスクテーブルを有するスピンドルモータ及びそのディスク状記録媒体の記録及び／又は再生手段が複数のインシュレータによって振動的に浮かされた状態に搭載され、ドライブ本体に対して出し入れされるディスク移送部材を備え、
上記スピンドルモータは上記ディスク移送部材の上記ドライブ本体に対する出し入れ方向のほぼ中央に搭載され、上記記録及び／又は再生手段は上記ディスク移送部材の上記スピンドルモータに対する上記ドライブ本体側とは反対側に搭載されているディスクドライブにおいて、
上記スピンドルモータの下部を上記記録及び／又は再生手段の下部より高くすることにより、上記ディスク移送部材の上記スピンドルモータ側の下部に上下の段差部が形成され、
少なくとも上記記録及び／又は再生手段からの出力信号を処理する信号処理基板が上記ディスク移送部材の上記スピンドルモータ側の下部の上記段差部内に配置され、
上記ディスク移送部材が上記ドライブ本体内に収容された時に、上記ディスクテーブルの上端の上記センターリングガイドの上部に配置されるディスクテーブル逃げ穴が上記ドライブ本体のトップカバーに形成され、
上記ディスク移送部材の上記信号処理基板と上記ディスクドライブ本体内の下部に取り付けられたインターフェース基板との間がフレキシブルプリント基板によってほぼｕ字状に接続され、
上記トップカバーの下面で上記ディスクテーブル逃げ穴の両側に形成された２本のリブであって、上記フレキシブルプリント基板が上記ディスクテーブル逃げ穴の下側のエッジに接触することを防止する２本のリブが上記ドライブ本体に対する上記ディスク移送部材の出し入れ方向と平行に形成されている
ことを特徴とするディスクドライブ。
【発明の詳細な説明】
【０００１】
【発明の属する技術分野】
本発明は、例えば、薄型、小型な光ディスクドライブに適用するのに最適なディスクドライブであって、特に、ドローワやトレイ等のディスク移送部材によってディスク状記録媒体をドライブ本体に対して出し入れするようにしたディスクドライブの技術分野に属するものである。
【０００２】
【従来の技術】
現在、図３４に示すような外径形状でＩＢＭ株式会社が意匠登録した光ディスクドライブ２０１がデファクトスタンダードとなっている。この光ディスクドライブ２０１はＣＤ−ＲＯＭ等の光ディスク２０２を用い、ノート型パーソナルコンピュータ等に搭載できるように薄型化したもの（但し、近年一層の薄型化が進んでいる）であり、ドライブ本体２０３から出し入れされるディスク移送部材であるドローワ（若しくは、トレーと称される）２０４を有し、光ディスク２０２をそのドローワ２０４上に載置してドライブ本体２０３内に出し入れするようにしたものである。なお、ドローワ２０４の幅を光ディスク２０２の直径の約２／３程度に小さくすると共に、ドライブ本体２０３の一側部のほぼ下半部分に沿っドローワ２０４の出し入れ方向と平行な切欠き２０５を形成して、ドローワ２０４がドライブ本体２０３から引き出された時の省スペース化とドライブ本体２０３の小型化が図られている。
【０００３】
そして、ドローワ２０４上にはスピンドルモータ２０６及びその上端に一体に形成されたディスクテーブル２０７と、光ディスク２０２の記録及び／又は再生手段である光学ピックアップ２０８が搭載されていて、光学ピックアップ２０８は対物レンズ２０９をスレッド２１０によって光ディスク２０２の内外周方向に移送するように構成されている。そして、光ディスク２０２をドローワ２０４のディスクテーブル２０７上にセルフチャッキング機構によって脱着可能な状態に直接装着して、その光ディスク２０２をドローワ２０４の光学ピックアップ２０８の対物レンズ２０９の上部に近接させる。そして、そのドローワ２０４によってによって光ディスク２０をディスク本体２０３内に挿入した後、スピンドルモータ２０６によって光ディスク２０２を高速で回転駆動し、光学ピックアップ２０８の対物レンズ２０９をスレッド２１０によって光ディスク２０２の内外周方向にシークしながら光ディスク２０２のデータの再生を行うようになされている。
【０００４】
現在のこのような薄型の光ディスクドライブ２０１は１２．７ｍｍＨｅｉｇｈｔを主流にとして、日本や韓国等のメーカで月産で約１００万台余りが生産されている。そして、現在のこのような薄型の光ディスクドライブ２０１では、殆どの場合、光学ピックアップ２０８の信号処理回路がマウントされた信号処理基板と外部インターフェース２１１がマウントされたインターフェース基板を兼用している大型のメイン基板２１２をドライブ本体２０３内の後端部（ドローワ２０４の引き出し側とは反対の側）に取り付けている。そして、スピンドルモータ２０６の下部に取り付けられていて、スピンドルモータ２０６のスピンドルの軸受及びステータコイル等がマウントされているモータ基板２１３を光学ピックアップ２０８の中継基板に利用して、光学ピックアップ２０８のスレッド２１０とモータ基板２１３との間を幅が小さく長さが約１０ｃｍの短いフレキシブルプリント基板２１４で接続し、そのモータ基板２１３とメイン基板２１２との間を幅が大きく長さが約２０ｃｍの長いフレキシブルプリント基板２１５でほぼｕ字状に接続して、スレッド２１０のシーク時のスライドストロークをその長いフレキシブルプリント基板２１５で吸収するようにしていた。
【０００５】
【発明が解決しようとする課題】
しかし、従来から公知であるように、フレキシブルプリント基板等で微弱な電気信号を伝送する場合には、そのフレキシブルプリント基板の長さに比例してインピーダンスが必ず増えてしまい、信号の劣化やノイズの飛び込みが多くなることが知られている。
従って、現在のこのような薄型の光ディスクドライブ２０１のように、光学ピックアップ２０８とメイン基板２１２との間をモータ基板２１３を中継して、総延長３０ｃｍ以上の長いフレキシブルプリント基板２１４、２１５によって接続している構造では、光学ピックアップ２０８の微弱な出力信号の劣化が必ず発生する。しかも、スピンドルモータ２０６が光学ピックアップ２０８に近接された位置で高速回転されることから、そのスピンドルモータ２０６の高速回転によって発生するノイズが光学ピックアップ２０８の出力信号中に飛び込み易い。
そして、特に、今後開発されるデータの記録（書き込み）及び／又は再生（読み取り）の両方を可能にした光ディスクドライブのように、例えば、ＣＤ−Ｒ、ＣＤ−ＲＷ、ＤＶＤ−ＲＷ等のディスクフォーマット上の高密度化が進む後継フォーマットでは、特に、光学ピックアップ２０８の入出力信号の微弱化が否めない状況にあり、書き込み用の生信号がフレキシブルプリント基板２１４、２１５上で劣化したり、ノイズの飛び込み等によって、書き込みエラー等を招くことになり、信頼性が著しく低いものになる。
【０００６】
本発明は、上記の問題を解決するためになされたものであって、フレキシブルプリント基板によって伝送される光学ピックアップからの微弱な出力信号の劣化やノイズの飛び込みを極力防止できると共に、ディスクドライブの薄型化を図ることができるようにしたディスクドライブを提供することを目的としている。
【０００７】
【課題を解決するための手段】
上記の目的を達成するための本発明のディスクドライブは、ディスク状記録媒体が装着されるディスクテーブルを有するスピンドルモータ及びそのディスク状記録媒体の記録及び／又は再生手段が複数のインシュレータによって振動的に浮かされた状態に搭載され、ドライブ本体に対して出し入れされるディスク移送部材を備え、上記スピンドルモータは上記ディスク移送部材の上記ドライブ本体に対する出し入れ方向のほぼ中央に搭載され、上記記録及び／又は再生手段は上記ディスク移送部材の上記スピンドルモータに対する上記ドライブ本体側とは反対側に搭載されているディスクドライブにおいて、上記スピンドルモータの下部を上記記録及び／又は再生手段の下部より高くすることにより、上記ディスク移送部材の上記スピンドルモータ側の下部に上下の段差部が形成され、少なくとも上記記録及び／又は再生手段からの出力信号を処理する信号処理基板が上記ディスク移送部材の上記スピンドルモータ側の下部の上記段差部内に配置され、上記ディスク移送部材が上記ドライブ本体内に収容された時に、上記ディスクテーブルの上端の上記センターリングガイドの上部に配置されるディスクテーブル逃げ穴が上記ドライブ本体のトップカバーに形成され、上記ディスク移送部材の上記信号処理基板と上記ディスクドライブ本体内の下部に取り付けられたインターフェース基板との間がフレキシブルプリント基板によってほぼｕ字状に接続され、上記トップカバーの下面で上記ディスクテーブル逃げ穴の両側に形成された２本のリブであって、上記フレキシブルプリント基板が上記ディスクテーブル逃げ穴の下側のエッジに接触することを防止する２本のリブが上記ドライブ本体に対する上記ディスク移送部材の出し入れ方向と平行に形成されているものである。
【０００８】
上記のように構成された本発明のディスクドライブは、少なくとも記録及び／又は再生手段からの出力信号を処理する信号処理基板をディスク移送部材に取り付けることによって、その記録及び／又は再生手段と信号処理基板との間を最短距離に設定することができて、その記録及び／又は再生手段からの出力信号が信号処理基板との間で劣化したり、ノイズの飛び込みが発生することを極力防止することができる。
しかも、ディスク移送部材のスピンドルモータの下部を記録及び／又は再生手段の下部より高くすることにより、ディスク移送部材のスピンドルモータ側の下部に上下の段差部を形成して、少なくとも記録及び／又は再生手段からの出力信号を処理する信号処理基板をディスク移送部材のスピンドルモータ側の下部の段差部内に配置したことによって、ディスク移送部材の薄型化を促進し、更に、ディスク移送部材がドライブ本体内に収容された時に、スピンドルモータのディスクテーブルの上端のセンターリングガイドの上部に配置されるディスクテーブル逃げ穴をドライブ本体のトップカバーに形成して、ディスク移送部材に複数のインシュレータによって振動的に浮かされた状態に搭載されているスピンドルモータが上下方向に振動した場合でも、ディスクテーブルのセンターリングガイドをそのトップカバーのディスク逃げ穴内に逃がすようにして、そのセンターリングガイドがトップカバーに衝突される危険を回避するように構成したことによって、ドライブ本体も薄型化を促進したことにより、ディスクドライブ全体の薄型化を確保できる。
更に、このディスクドライブ全体の薄型化に伴い、ドライブ本体に対してディスク移送部材が出し入れされる際に、ディスク移送部材の信号処理基板とドライブ本体内の下部に取り付けられたインターフェース基板との間にほぼｕ字状に接続されているフレキシブルプリント基板がドライブ本体のトップカバーの下面に接触されながら移動して、そのトップカバーに形成されているディスクテーブル逃げ穴の内側エッジに接触してダメージを受け易いが、トップカバーの下面でディスクテーブル逃げ穴の両側に、ドライブ本体に対するディスク移送部材の出し入れ方向と平行に形成されている２本のリブにフレキシブルプリント基板を乗り上げさせることができるので、フレキシブルプリント基板がディスクテーブル逃げ穴の下側のエッジに接触することを未然に防止することができ、フレキシブルプリント基板の損傷を防止し、その耐久性を増大することができ、ディスクドライブの高信頼性を確保できる。
【０００９】
【発明の実施の形態】
以下、本発明を適用した光ディスクドライブの実施の形態を図を参照して、以下の順序で説明する。
（１）・・・  光ディスクドライブの概要説明
（２）・・・  ドライブ本体内部の概要説明
（３）・・・  スレッド移送機構ユニットの説明
（４）・・・  スキュー調整機構の説明
（５）・・・  ドライブ本体の薄型化の説明
（６）・・・  ドローワに搭載された光学ピックアップとドライブ本体のインターフェース基板との間の電気的な接続構造の説明
（７）・・・  ドローワのロック及びイジェクト機構の説明
（８）・・・  スレッド等のアース方法の説明
（９）・・・  ドローワのディスク保護部材の説明
（１０）・・  ドライブ本体のボトムシャーシとトップカバーの組立構造の説明
【００１０】
（１）・・・  光ディスクドライブの概要説明
まず、図１〜図９、図１７〜図２１によって、光ディスクドライブの概要について説明する。
即ち、本発明のディスクドライブを含む記録再生装置の一例である光ディスクドライブ１は、ＩＢＭ株式会社によって既に意匠登録されている薄型、小型の光ディスクドライブとほぼ同型（但し、近年より一層の薄型化に移行している）に構成されていて、ディスク状記録媒体としては直径Ｄ＝１２ｃｍのＣＤ−ＲＯＭ（但し、将来的にはＣＤ−Ｒ、ＣＤ−ＲＷ、ＤＶＤ−ＲＷ等の高密度記録用ディスクへの移行が予測される）等の光ディスク２を使用して、ノート型パーソナルコンピュータ等に搭載されるものである。
【００１１】
そして、この光ディスクドライブ１は記録再生装置本体であるドライブ本体３と、そのドライブ本体３内から光ディスク２を矢印ａ、ｂ方向に水平に出し入れするディスク移送部材である扁平なドローワ６によって構成されている。そして、図３〜図７に示すように、ドローワ６をドライブ本体３内に収納させた状態での光ディスクドライブ１全体の外形寸法は、幅Ｗ1 ＝約１２８ｍｍ、奥行きＤ1 ＝約１２９．１ｍｍに構成され、ドライブ本体３の厚さ（高さ）Ｔ1 ＝約１２．７ｍｍに構成されていて、この光ディスクドライブ１は薄型、小型に構成されている。この際、図１〜図９に示すように、ドライブ本体３の外筐は、板金によってプレス加工されたボトムシャーシ４と、トップカバー５によって扁平な筐形状に構成されていて、そのドライブ本体３の下部側は幅Ｗ2 ＝約１０２．６ｍｍの小幅形状部３ａに構成され、上部側は幅Ｗ1 ＝約１２８ｍｍの大幅形状部３ｂに構成されている。そして、これら小幅形状部３ａ及び大幅形状部３ｂの左側面が面一形状に構成される一方、大幅形状部３ｂの右側面側が小幅形状部３ａの右側面からＷ1 −Ｗ2 ＝約２５．４ｍｍの食み出し量Ｗ3 で右方向に水平状に食み出していて、ドライブ本体３の前端（矢印ｂ方向の端部）には小幅形状部３ａ及び大幅形状部３ｂに跨ってほぼＬ形に形成された前面開口３ｃが形成されている。従って、このドライブ本体３の右側面の下部側には幅Ｗ3 の切欠き７が形成された形状に構成されていて、上部側の大幅形状部３ｂの後端（矢印ａ方向の端部）にはほぼ三角形状の切欠き８が形成されている。
【００１２】
そして、ドローワ６は合成樹脂によって成形されたドローワ本体６ａとフロントパネル６ｂとで構成されていて、ドローワ本体６ａはドライブ本体３の小幅形状部３ａの幅Ｗ2 より少し小さい幅Ｗ4 ＝約９８．５ｍｍの扁平で、水平状の長方形状に構成されている。そして、フロントパネル６ｂは幅及び高さ共に、ドライブ本体３の幅Ｗ1 及び厚み（高さ）Ｔ1 より若干大きい短冊状に形成されていて、このフロントパネル６ｂはドローワ本体６ａの前端に前後方向（矢印ａ、ｂ方向）に対して直角状で、かつ、右方向に大きくオフセットされた状態にビス止め、ダボ嵌め或いは接着等にて垂直状に取り付けられている。従って、光ディスク２の直径Ｄに対するドライブ本体３の大幅形状部３ａの幅Ｗ1 と、ドローワ６のドローワ本体６ａの幅Ｗ4 との寸法関係は、Ｗ4 ＜Ｄ＞Ｗ1 に構成されている。そして、ドローワ６はそのドローワ本体６ａによってドライブ本体３の下部側に配置されている小幅形状部３ａの内部に後述するガイドレール機構によって矢印ａ、ｂ方向から水平状に出し入れすることができるように組み込まれている。
【００１３】
そして、図１、図９、図１７〜図２１に示すように、ドローワ６のドローワ本体６ａの上部には、光ディスク２が装着されるスピンドルモータ１１が垂直状に搭載されていて、そのスピンドルモータ１１のロータの上端にはディスクテーブル１２が水平状に形成され、更に、そのディスクテーブル１２の上端に形成されているセンターリングガイド１２ａの上端外周には３等分配置のセルフチャッキング機構１３が備えられている。また、そのドローワ本体６ａにはスピンドルモータ１１に装着された光ディスク２を記録及び／又は再生する手段である光学ピックアップ１５が搭載されていて、この光学ピックアップ１５にはレーザビームを光ディスク２に下方から垂直状に照射、集束させる対物レンズ１６と、その対物レンズ１６及びその２軸アクチュエータ１７、レーザビームの照射及び反射光の受光を行う光学系が搭載されたスレッド１８が備えられている。そして、スピンドルモータ１１はドローワ本体６ａの前後方向のほぼ中央位置で、ドライブ本体３の幅方向のほぼセンターＰ1 上に配置されていて、光学ピックアップ１５の対物レンズ１６はスレッド１８によってスピンドルモータ１１よりフロントパネル４ｂ側に偏位された位置で、センターＰ1 に対して斜めに設定された走査経路Ｐ2 に沿って矢印ｃ、ｄ方向にシークされるように構成されている。なお、ドローワ本体６ａの上面にはスピンドルモータ１１を中心とし、かつ、光ディスク２の直径Ｄより若干大きい円形状に形成された凹所６ｃが水平状に形成されていて、この凹所６ｃの底面側にディスクテーブル１２及び対物レンズ１６が配置され、この凹所６ｃがディスク搭載部に構成されている。そして、図１及び図２に示すように、フロントパネル６ｂには、ＬＥＤ６ｄ、イジェクト釦６ｅ及びイマージェンシー・ホール６ｆ等が設けられている。
【００１４】
この光ディスクドライブ１の概要は以上の通りであり、図１及び図１７に示すように、ユーザはドローワ６をドライブ本体３内から矢印ｂ方向に手で引き出した後に、光ディスク２をディスクテーブル１２上でセンターリングガイド１２ａの外周に水平状に装着、即ち、セルフチャッキングして、凹所６ｃ内に水平状に収容する。この際、光ディスク２の右側が、その直径Ｄの約１／４以下の寸法の食み出し量Ｐ3 だけドローワ本体６ａの右側に食み出した状態にセルフチャッキングされる。次に、ユーザがドローワ６のフロントパネル６ｂを手で押して、図２及び図１８に示すように、ドローワ６をドライブ本体３内に矢印ａ方向に押し込むと、ドローワ本体６ａがドライブ本体３の下部側の小幅形状部３ａ内に水平に挿入されると共に、光ディスク２が前面開口３ｃから上部側の大幅形状部３ｂ内に水平に挿入される。そして、フロントパネル６ｂがドライブ本体３の前面開口３ｃを閉塞する位置までドローワ６がドライブ本体３内に矢印ａ方向から挿入完了された時に、後述するドローワロック及びイジェクト機構によってドローワ６がドライブ本体３内にロックされる。
【００１５】
そして、この後に、ホストコンピュータからの記録及び／又は再生の指令信号によってスピンドルモータ１１が駆動されて、光ディスク２が高速で回転され、光学ピックアップ１５の対物レンズ１６によってレーザビームを光ディスク２に下方向から照射、集束させながら、その対物レンズ１６がスレッド１８によって光ディスク２の内外周方向である矢印ｃ、ｄ方向にシークされて、光ディスク２にデータが記録及び／又は再生される。そして、光ディスク２の記録及び／又は再生後に、ユーザがイジェクト釦４ｅを押すと、後述するロック及びイジェクト機構によってドローワ４がドライブ本体３内から図１７に１点鎖線で示すようにストロークＳ1 だけ矢印ｂ方向に自動的に押し出されるので、その後、ユーザは手でドローワ４を矢印ｂ方向に容易に引き出すことができる。
【００１６】
（２）・・・  ドライブ本体内部の概要説明
次に、図８及び図９によって、ドライブ本体内部の概要を説明する。
即ち、剪断面形状がほぼコ字状で、相互にスライド自在に組み合された内外２重のガイドレール２１、２２がドライブ本体３の小幅形状部３ａ内の左右両側位置に左右対称状で、かつ、矢印ａ、ｂ方向にスライド自在に組み込まれている。この際、左右一対の外側ガイドレール２２がボトムシャーシ４の複数の折曲片２５によってドライブ本体３内に固定されていて、左右一対の内側ガイドレール２１の内側にドローワ本体６ａの左右両側に一体成形された左右一対のガイドレール２３が矢印ａ、ｂ方向にスライド自在に組み込まれている。そして、これら左右一対のガイドレール２１、２２、２３によって伸縮自在のガイドレール機構２４が構成されていて、このガイドレール機構２４によってドローワ６がドライブ本体３に対して矢印ａ、ｂ方向に水平に出し入れ自在に構成されている。
【００１７】
そして、スピンドルモータ１１及び光学ピックアップ１５の搭載シャーシである板金で構成されたユニットシャーシ２８にスピンドルモータ１１及び光学ピックアップ１５が搭載されていて、このユニットシャーシ２８がドローワ本体６ａの凹所６ｃの底部に形成された開口部６ｇ内に隙間（遊び）を有して挿入されている。そして、ユニットシャーシ２８の外周に取り付けられた複数のインシュレータ２９によって、このユニットシャーシ２８がドローワ本体６ａに下方から脱着可能にネジ止めにて取り付けられていて、その複数のインシュレータ２９によってスピンドルモータ１１及び光学ピックアップ１５がドローワ本体６ａに対して振動的に浮かされている。そして、ドローワ本体６ａの下部にはメイン基板３０やドローワロック及びイジェクト機構３１がユニットシャーシ２８に対して非接触状態でネジ止め等にて脱着可能に取り付けられている。そして、スピンドルモータ１１、光学ピックアップ１５、メイン基板３０等を下方から電気的にシールドする薄い板金で構成されたシールドカバー３２がドローワ本体６ａの下部に脱着可能にネジ止めされている。
【００１８】
（３）・・・  スレッド移送機構ユニットの説明
次に、図１０〜図１６によって、スレッド移送機構ユニットについて説明する。
即ち、光学ピックアップ１５の記録及び／又は再生手段である対物レンズ１６を矢印ｃ、ｄ方向に移送するスレッド移送機構３４は、ガイド用主軸を兼用するリードスクリュー３５、その駆動用モータ３６、モータ３６とリードスクリュー３５間に配置される複数のギアからなる伝動系３７、モータ３６の回転位置を検出するエンコーダ３７及びガイド用副軸３９等によって構成されている。
【００１９】
そこで、このスレッド移送機構３４の複数の機構部品のうちのガイド用副軸３９を除く、他の機構部品、即ち、リードスクリュー３５、モータ３６、伝動系３７、エンコーダ３８等を１ピースのユニットベース４０に組み込んで、ユニット化することによって、スレッド移送機構ユニット４１を構成したものである。
【００２０】
即ち、ユニットベース４０は合成樹脂等によって成形されていて、その一端４０ａに形成された円筒状の穴である軸受け４３内にリードスクリュー３５の一端３５ａを軸方向である矢印ｃ、ｄ方向に脱着可能に挿入して回転自在に支持し、そのユニットベース４０の他端４０ｂに下方から止ネジ４４によって脱着可能にネジ止めされたリードスクリュー脱着部材４５によってリードスクリュー３５の他端３５ｂを脱着可能で、回転自在に支持する。この際、ユニットベース４０の他端４０ｂとリードスクリュー脱着部材４５との間に軸方向に対する直角方向に分割可能な角筒状の穴である軸受け４６を形成して、その軸受け４６内でリードスクリュー３５の他端３５ｂを脱着可能で、回転自在に支持する。
【００２１】
そして、金属の板バネで構成されたスラスト用与圧手段である与圧バネ４７を止ネジ４８によってユニットベース４０の一端４０ａ側の軸受け４３の外側に脱着可能にネジ止めして、その与圧バネ４７でリードスクリュー３５の一端３５ａを軸方向から矢印ｄ方向に弾性的に押圧して、そのリードスクリュー３５の他端３５ｂをリードスクリュー脱着部材４５に形成したスラスト受け４９に矢印ｃ方向から弾性的に押圧している、そして、その与圧バネ４７のバネ力をユニットベース４０の他端４０ｂで強固に受け止めるために、その他端４０ｂとリードスクリュー脱着部材４５との間に一体成形したリブ５０とリブ嵌合溝５１をリードスクリュー３５の軸方向に対して直角な方向から脱着可能に嵌合させている。なお、リードスクリュー脱着部材４５によるリードスクリュー３５の脱着操作を容易に行うために、そのリードスクリュー脱着部材４５に一体成形したダボ５２をユニットベース４０の他端４０ｂに成形したダボ穴５３内に軽圧入させると共にリブ５０とリブ嵌合穴５１との嵌合による位置決め機能を持たせてある。
【００２２】
そして、モータ３６、伝動系３７及びエンコーダ３７等はユニットベース４０に形成された複数の凹部５４内に挿入されて複数の止ネジ５５や支軸（図示せず）等にて組み立てられている。但し、伝動系３７の最終段のギアはリードスクリュー３５の一端３５ａの外周に圧入等にて固着されている。
【００２３】
そして、このスレッド移送機構ユニット４１がユニットベース４０によってユニットシャーシ２８の下面で、そのユニットシャーシ２８に形成された開口部５７の一方の側部に複数の止ネジ５８によって下方から脱着可能に取り付けられる。その際、ユニットベース４０の上面の両端４０ａ、４０ｂに一体成形した一対のダボ５９をユニットシャーシ２８に形成した一対のダボ穴６０に嵌合させて位置決めするように構成されている。
【００２４】
なお、合成樹脂等によって成形されたガイド用副軸３９は、ユニットシャーシ２８の下面で、開口部５７の他方の側部に複数の止ネジ６２によって脱着可能にネジ止めされて、リードスクリュー３５と平行に取り付けられている。そして、このガイド副軸３９もその上面に一体成形した一対のダボ６３をユニットシャーシ２８に形成した一対のダボ穴６４に嵌合させて位置決めするように構成されている。
【００２５】
そして、光学ピックアップ１５の対物レンズ１６が搭載されているスレッド１８がその一端側に形成された円筒状の穴である一対のスラスト軸受け６６によってリードスクリュー３５の外周に軸方向から脱着可能に挿入され、そのスレッド１８の他端に形成されたＵ溝６７がガイド用副軸３９に軸方向に対して直角な方向から脱着可能に挿入されている。そして、このスレッド１８の一端側に止ネジ６８によって脱着可能にネジ止めされた金属の板バネ６９に合成樹脂成形されたニードル６９が支持されていて、このニードル６９が板バネ６９のバネ力によってリードスクリュー３５の外周のラセン状のスクリュー溝３５ｃに係合されている。
【００２６】
以上により、モータ３６によって伝動系３７を介してリードスクリュー３５を正逆両方向に回転制御することによって、リード溝３５ｃでニードル６９を駆動するようにして、ガイド用主軸を兼用しているリードスクリュー３５とガイド用副軸３９の間でスレッド１８を矢印ｃ、ｄ方向に移送することができるスレッド移送機構３４全体のユニットシャーシ２８への組立が完了する。なお、ユニットシャーシ２８の上面には薄い板金で構成されたシャーシカバー７１がネジ止めされていて、スレッド１８に搭載されている対物レンズ１６がそのシャーシカバー７１に形成された開口部７２の上方に露出されている。
【００２７】
以上説明したように、スレッド移送機構３４をユニット化したスレッド移送機構ユニット４１を製作して、そのスレッド移送機構ユニット４１をユニットベース４０によってスピンドルモータ１１及び光学ピックアップ１５が搭載されるユニットシャーシ２８に脱着可能に取り付けるようにした方式を採用すると、例えば下請けメーカ等の初期組立工程において、ユニットベース４０に対するスレッド移送機構３４のリードスクリュー３５、モータ３６、伝動系３７、エンコーダ３８、リードスクリュー脱着部材４５及び与圧バネ４７等の機構部品の組立及びその機構部品間の負荷調整等を全て完了してしまうことができる。そして、その負荷調整等が既に終了しているスレッド移送機構ユニット４１の完成品を大手製造メーカ等のセット、即ち、光ディスクドライブ１を組み立てるための製造ライン上の最終工程へ搬入すれば、その最終組立工程では、機構部品間の負荷調整等を省略することができ、ユニットベース４０によってスレッド移送機構ユニット４１をユニットシャーシ２８へ単に組み付けるだけで良く、生産性の著しい向上による低コスト化を実現することができる。
【００２８】
なお、この際、ユニットベース４０をユニットシャーシ２８へ組み付けて、リードスクリュー３５とガイド用副軸３９との間にスレッド１８を架け渡す必要があるが、その際には、リードスクリュー脱着部材４５のみを取り外して、リードスクリュー３５の他端３５ｂを開放するだけで、そのリードスクリュー３５の一端３５ａをユニットベース４０の軸受け４３から軸方向（矢印ｄ方向に簡単に抜き取ることができる。従って、その後に、リードスクリュー３５をスレッド１８の一対の軸受け４６に軸方向から挿通した後、そのリードスクリュー３５の一端３５ａをユニットベース４０の軸受け４３に軸方向（矢印ｃ方向）から再挿入し、その他端３５ｂをリードスクリュー脱着部材４５によってユニットベース４０の軸受け４６に再度組み立てるだけで、スレッド１８の組み付けを非常に簡単に行える。
【００２９】
このように、このスレッド移送機構ユニット４１によれば、スレッド１８の組立及び分解をリードスクリュー脱着部材４５のみの脱着操作によって非常に簡単に行えるので、初期組立工程において調整された負荷軽減状態を最終組立工程においても殆んどそのまま維持することができる。従って、最終組立工程における負荷調整工程を実質的に無くすことが可能である。そして、機構部品間の負荷のバラツキを抑えて、スレッド１８の矢印ｃ、ｄ方向の送り負荷の安定化を図ることができて、高信頼性を確保することができる。
【００３０】
そして、スレッド１８はリードスクリュー３５に対して軸方向に抜き差し可能である上に、ガイド用副軸３９に対してはＵ溝６７によって軸方向に対する直角方向から抜き差し可能に構成されているので、ユニットベース４０及びガイド用副軸３９をユニットシャーシ２８に組み付けたまま、リードスクリュー脱着機構４５のみを脱着して、リードスクリュー３５の脱着を行うだけで、スレッド１８の脱着も非常に簡単に行うことができ、光学ピックアップ１５の交換等を非常に容易に行える。
【００３１】
（４）・・・  スキュー調整機構の説明
次に、図１７によって、スレッド移送機構ユニット４１を発展させたスキュー調整機構について説明する。
即ち、スピンドルモータ１１が取り付けられているユニットシャーシ２８にユニットベース４０の一端４０ａをヒンジ７５によって回転自在に取り付け、そのユニットベース４０の他端４０ｂ側とユニットシャーシ２８との間に高さ調整ネジ７６と一方向への付勢手段であるバネ７７とによって構成されたスキュー調整手段７８を取り付けるだけで、スキュー調整機構７９を簡単に実現することができる。
【００３２】
そして、スキュー調整手段７８の高さ調整ネジ７６とバネ７７との共働作用によってユニットベース４０をユニットシャーシ２８に対してヒンジ７５を中心に矢印ｅ方向に回転調整することによって、リードスクリュー３５に挿通されているスレッド１８における対物レンズ１６の光軸ｆをスピンドルモータ１１に装着されている光ディスク２のタンジェンシャル方向ｇに簡単にスキュー調整することができる。
【００３３】
（５）・・・  ドライブ本体の薄型化の説明
次に、図１〜図３、図１８〜図２２によって、ドライブ本体３の薄型化を促進するための構造について説明する。
即ち、図１８に示すように、ドローワ６をドライブ本体３内に矢印ａ方向から押し込んで、後述するドローワロック及びイジェクト機構３１によってロックした状態で、トップカバー５のディスクテーブル１２の真上相当位置に円形のディスクテーブル逃げ穴８１を形成し、そのディスクテーブル逃げ穴８１をディスクテーブル１２の最上段に形成されているセルフチャッキング機構１３を含む円形状のセンターリングガイド１２ａの直径Ｄ11よりも大径Ｄ12に形成している。そして、トップカバー５の上面にラベル８２を貼り付けて、そのディスクテーブル逃げ穴８１の上面を閉塞したものである。
【００３４】
このように構成すれば、ドローワ本体６ａに複数のインシュレータ２９によって弾性的に支持されているスピンドルモータ１７が、特に上下方向に振動した場合に、そのディスクテーブル１２のセルフチャッキング機構１３を含むセンターリングンガイド１２ａをトップカバー５の厚さＴ11を利用してディスクテーブル逃げ穴８１内に逃がすことができて、そのセンターリングガイド１２ａがトップカバー５に衝突される危険を回避することができる。この結果、トップカバー５の下面に対してディスクテーブル１２を例えば０．７ｍｍ程度にまで著しく近接させることが可能になり、そのトップカバー５の厚みＴ11をディスクテーブル１２の上下方向の最大振幅の範囲内に収めることができて、ドライブ本体３の厚みＴ1 をそのトップカバー５の厚みＴ11を利用して縮小することができる。
【００３５】
（６）・・・  ドローワに搭載された光学ピックアップとドライブ本体のインターフェース基板との間の電気的な接続構造の説明
次に、図１８〜図２３によって、ドローワ６に搭載されている光学ピックアップ１５とドライブ本体３内の後端部に取り付けられたインターフェース基板８６との間を電気的に接続する接続構造について説明する。
まず、光学ピックアップ１５の信号処理回路及びスピンドルモータ１１の駆動回路等が一緒にマウントされた基板である大型のメイン基板３０がドローワ６の下部に水平に取り付けられていて、このメイン基板３０が信号処理基板に兼用されている。この際、このメイン基板３０はドローワ６の下部の後端側のほぼ過半分の専有面積内に水平状にネジ止めされていて、スピンドルモータ１１の下部に配置されているモータ基板１１ｂを光学ピックアップ１５の下部１５ａより高くして、これらモータ基板１１ｂと光学ピックアップ１５の下部１５ａとの間に段差部１５１を形成し、メイン基板３０の一部３０ａをその段差部１５１を利用してスピンドルモータ１１の下部まで回り込ませることによって、そのメイン基板３０の有効面積の拡大を図って、一枚のメイン基板３０に光学ピックアップ１５の信号処理回路とスピンドルモータ１１の駆動回路等とを一緒にマウントできるように構成している。但し、このメイン基板３０はモータ基板１１ｂと干渉させることなく、光学ピックアップ１５の下部１５ａとほぼ面一又はその下部１５ａより若干高くすることによって、ドライブ本体３の薄型を確保している。
【００３６】
以上の構成により、メイン基板３０の信号処理回路が光学ピックアップ１５に最短距離に接近されている。そこで、光学ピックアップ１５のスレッド１８とメイン基板３０の信号処理回路との間を長さが短い接続手段である幅が小さいフレキシブルプリント基板１５２によって電気的に接続すると共に、スレッド移送機構３４のモータ３６とメイン基板３０の駆動回路との間を長さが短い可撓性を有する接続手段である幅が小さいフレキシブルプリント基板１５３によって電気的に接続している。
【００３７】
従って、光学ピックアップ１５からの微弱な出力信号がフレキシブルプリント基板１５３によってメイン基板３０の信号処理回路迄に伝送される間に、その出力信号の劣化や高速回転されるスピンドルモータ１１のノイズの飛び込みを極力防止することができて、光ディスク２の高精度の記録及び／又は再生を行えて、高精度、高信頼性を確保できる。
【００３８】
そして、ドライブ本体３内で、ボトムシャーシ４の後端の一側部に偏位された位置の上部に複数の止ネジ８５によって水平状にネジ止めされたインタフェース基板８６の上面に外部インターフェース８６ａがマウントされていて、その外部インターフェース８６ａがボトムシャーシ４の後側部４ｃに形成された横長の開口４ｄから後方に露出されている（図５参照）。そして、メイン基板３０の後端（矢印ａ方向の端部）の上面にコネクター８４がマウントされ、インターフェース基板８６の下面にコネクター８７がマウントされていて、これら２つのコネクター８４、８７間が可撓性を有する接続手段である長さが長く（長さに余裕を持たせていること）、幅の広いフレキシブルプリント基板８８によって接続されている。そして、このフレキシブルプリント基板８８はドライブ本体３内で平面形状でほぼｕ字状に引き回されると共に、その長さ方向のほぼ中間部８８ａが側面形状でほぼＵ字状折り曲げられている。
【００３９】
そして、ドライブ本体３に対してドローワ６を矢印ａ、ｂ方向に出し入れする際に、図２３に実線及び１点鎖線で示すように、フレキシブルプリント基板８８のほぼ中間部８８ａのｕ字状の折り曲げ状態をその弾性に抗して矢印ａ、ｂ方向に順次伝播させながら、ドローワ６に追従させて前後方向（矢印ａ、ｂ方向）に移動させるようにして、そのドローワ６の矢印ａ、ｂ方向のスライドストロークをフレキシブルプリント基板８８で吸収できるように構成されている。
【００４０】
この際、フレキシブルプリント基板８８は、その弾性反発力によってドライブ本体３のボトムシャーシ４とトップカバー５の両方に押圧されながら、矢印ａ、ｂ方向に摺動することになるために、トップカバー５に前述したようなディスクテーブル逃げ穴８１を形成した場合には、そのディスクテーブル逃げ穴８１の内側エッジ８１ａにフレキシブルプリント基板８８が接触してダメージを受けてしまう。
【００４１】
そこで、図２３に示すように、フレキシブルプリント基板８８の摺動方向である前後方向（矢印ａ、ｂ方向）と平行な２本のリブ８９をトップカバー５のディスクテーブル逃げ穴８１の左右両側部で、そのトップカバー５の下面側に絞り加工した。そして、この絞り加工された２本のリブ８９の下面８９ａには丸みが形成されている。
【００４２】
すると、フレキシブルプリント基板８８がトップカバー５の下面に押圧されながら、矢印ａ、ｂ方向に摺動される際に、ディスクテーブル逃げ穴８１部分においてはフレキシブルプリント基板８８を２本のリブ８９に乗り上げさせて、そのディスクテーブル逃げ穴８１の下方に浮かせることができ、フレキシブルプリント基板８８がそのディスクテーブル逃げ穴８１の下側エッジ８１ａに接触してダメージを受けることを未然に防止することができる。従って、フレキシブルプリント基板８８の損傷を防止し、その耐久性を増大することができて、光ディスクドライブ１の高性能、高信頼性を確保することができる。
【００４３】
また、フレキシブルプリント基板８８のほぼｕ字状に折り曲げられているほぼ中間部８８ａの屈曲耐久性を向上するためには、その屈曲半径Ｒをできるだけ大きくすることが望ましい。この際、ドライブ本体３の厚さＴ1＝１２．７ｍｍの薄型に構成されているこの光ディスクドライブ１では、仮に、メイン基板３０のコネクター８４をそのメイン基板３０の下面にマウントし、そのコネクター８４とインターフェース基板８６の下面にマウントしたコネクター８７との間をフレキシブルプリント基板８８でほぼｕ字状に接続すると、ドローワ６がドライブ本体３内の最奥部位置まで矢印ａ方向に挿入された時のフレキシブルプリント基板８８のほぼ中間部８８ａの屈曲半径Ｒが約０．５ｍｍまで縮小されてしまい、そのフレキシブルプリント基板８８の屈曲耐久性が著しく阻害されてしまう。そこで、上記したように、コネクター８４をメイン基板３０の上面にマウントして、そのコネクター８４をインターフェース基板８６の下面にマウントされているコネクター８７に対してできるだけ高い位置に配置し、これら両コネクター８４、８７の間フレキシブルプリント基板８８でほぼｕ字状に接続すれば、ドローワ６がドライブ本体３内の最奥部位置まで矢印ａ方向に挿入されたと時のフレキシブルプリント基板８８のほぼ中間部８８ａの屈曲半径Ｒを約２ｍｍにまで拡大することができて、そのフレキシブルプリント基板８８の屈曲耐久性を大幅に向上させることができる。
【００４４】
しかし、メイン基板３０の上部はドローワ６で完全に閉塞されていつため、コネクター８４をメイン基板３０の上面にマウントしてしまうと、そのコネクター８４に対してフレキシブルプリント基板８８の前端部を脱着操作するための工具を挿入することができなくなる。つまり、一般に、コネクターに対してフレキシブルプリント基板を脱着操作するためには、例えば、ピンセット等の専用工具が必要であるが、コネクター８４の上部がドローワ６で完全に閉塞されていると、その専用工具をコネクター８４部分に挿入することがでず、コネクター８４に対するフレキシブルプリント基板８８の脱着操作を行えなくなる。
【００４５】
そこで、この光ディスクドライブ１では、コネクター８４に対するフレキシブルプリント基板８８の前端部を脱着操作するための脱着操作用工具の左右一対の挿入穴１５４をドローワ６の後端部でコネクター８４の左右両側位置の上部相当位置に形成している。そして、その挿入穴１５４からピンセット等の専用工具をドローワ６の下部のコネクター８４の左右両側位置まで自由に挿入することができるようにして、その専用工具によってコネクター８４に対するフレキシブルプリント基板８８の前端部の脱着操作を容易に行えるように構成している。
【００４６】
（６）・・・  ドローワのロック及びイジェクト機構
次に、図９、図１８、図２４及び図２５によって、ドローワ６をドライブ本体３内でロック及びイジェクトするためのドローワロック及びイジェクト機構について説明する。
即ち、このドローワロック及びイジェクト機構９１は、ドローワ本体６ａの下面部でフロントパネル６ｂ側に近接された一方の側部にネジ止めされていて、イジェクトベース９２上にロックレバー９３が支点ピン９４を中心に左右方向である矢印ｈ、ｉ方向に回転自在に取り付けられている。そして、このロックレバー９３は回転付勢手段であるロックバネ９５によって矢印ｈ方向に回転付勢され、イジェクトベース９２上に支軸９６を介して回転自在に取り付けられたカムギア９７によって矢印ｉ方向に回転駆動されるように構成されている。そして、イジェクトベース９２上にはカムギア９７をウォーム９８を介して回転駆動するイジェクトモータ９９と、カムギア９７の回転位置を検出するスイッチ１００が取り付けられている。そして、イジェクト釦６ｅによって操作されるイジェクトスイッチ１０１がドローワ本体６ａの前端面に組み込まれていて、このイジェクトスイッチ１０１でイジェクトモータ９９が作動される。そして、ロックレバー９３はドライブ本体３のボトムシャーシ４の一方の側部に垂直状に取り付けられているロックピン１０２に矢印ｈ、ｉ方向から係合、離脱自在に構成されている。
【００４７】
そして、ドローワ本体６ａの下部で後端側の一方の側部に、圧縮コイルバネによって構成されたイジェクトバネ１０２と、そのイジェクトバネ１０２内に挿通されたイジェクトスライダー１０３が前後方向（矢印ａ、ｂ方向）と平行に取り付けられている。この際、イジェクトスライダー１０３がドローワ本体６ａの下部に一体成形されたガイドリブ１０５と、止ネジ１０６によってネジ止めされているスライドガイド１０６とによって案内されて矢印ａ、ｂ方向にスライド自在に構成されていて、イジェクトバネ１０２によって矢印ａ方向にスライド付勢されている。
【００４８】
そして、このドローワロック及びイジェクト機構９６によれば、図１８に実線で示すように、ドローワ６がドライブ本体３内に矢印ａ方向から挿入完了された時に、図２４に実線で示すように、イジェクトスライダー１０４がドライブ本体３の後端部３ｄに当接されて相対的に矢印ｂ方向に押し出され、このイジェクトスライダー１０４がイジェクトバネ１０３を圧縮して、イジェクト力をチャージする。そして、これとほぼ同時に、ロックレバー９３がロックピン１０２をロックバネ９５に抗して矢印ａ方向に乗り越えるようにして、そのロックピン１０２にロックバネ９５によって矢印ｈ方向から係合されて、ドローワ６がドライブ本体３内に自動的にロックされる。
【００４９】
そして、光ディスク２の記録及び／又は再生後に、ユーザがドローワ６のイジェクト釦６ｅを押すと、イジェクトスイッチ１０１がＯＮされて、イジェクトモータ９９が正回転駆動されて、ウォーム９８を介してカムギア９６が矢印ｋ方向に回転され、そのカムギア９６によってロックレバー９３がロックバネ９５に抗して矢印ｉ方向に回転されて、ロックピン１０２から外される。すると、イジェクトバネ１０３にチャージされているイジェクト力によってイジェクトスライダー１０４が矢印ａ方向に押し出され、その反発力によってドローワ６がドライブ本体３内から図１８に１点鎖線で示す位置まで自動的に押し出されることになる。なお、この後、スイッチ１００によってカムギア９７の回転位置が検出されると、イジェクトモータ９９が逆回転駆動されて、カムギア９７が原位置まで矢印ｍ方向に回転復帰される。またロックレバー９３はフロントパネル６ｂのイマージェンシー・ホール６ｆから挿入される針金等によってもロック解除動作することができる。
【００５０】
（７）・・・  スレッド等のアース方法の説明
次に、図２５及び図２６によって、スレッド１８等のアース方法について説明する。
即ち、まず、スレッド移送機構ユニット４１のユニットベース４０にネジ止めされた与圧バネ４７がステンレス材等の導電性を有する金属板からなる板バネで構成されていて、この与圧バネ４７には、リードスクリュー３５の一端３５ａを軸方向に押圧する押圧部１１１と、ユニットベース４０の上下両面に回り込んだ上下一対のアース用接触部１１２、１１３の合計３つの弾性片が一体に成形されている。なお、押圧部１１１はアース用接触部を兼用している。そして、スレッそして、ユニットベース４０をユニットシャーシ２８の下部にネジ止めした時に、与圧バネ４７の上側のアース用接触部４７ｂがユニットシャーシ２８の下面に弾性に抗して圧着される。そして、ドローワ本体６ａの下部にシールドカバー７１をネジ止めすると、その与圧バネ４７の下側のアース用接触部４７ｂがそのシールドカバー７１の上面に弾性に抗して相対的に圧着される。
【００５１】
一方、シールドカバー７１の一部から上方に折り曲げられたアース用接触部１１６がイジェクトバネ１０３の矢印ｂ方向の端部に接触されていて、イジェクトスライダー１０４の矢印ａ方向側の端部から下方に折り曲げられたアース用接触部１１７がドライブ本体３のボトムシャーシ４の上面に接触して矢印ａ、ｂ方向にスライドされるように構成されている。そして、光ディスクドライブ１がノート型パーソナルコンピュータ等のホストコンピュータ内に組み込まれた時には、ドライブ本体３のボトムシャーシ４及び／又はトップカバー５によってアース経路にアースされる。そして、メイン基板３０等のプリント基板が上記した金属部分に対して電気的に絶縁されている。
【００５２】
従って、静電気を帯びたユーザがスレッド１８、ユニットシャーシ２８やシャーシカバー７１、スピンドルモータ１１等に直接手で触れる等して、これらに静電気が飛び込むようなことがあっても、その静電気は与圧バネ４７の押圧部１１１及びアース用接触部１１２、１１３を通して、シールドカバー３２−アース用接触部１１６−イジェクトバネ１０３−イジェクトスライダー１０４−アース用接触部１１７−ボトムシャーシ４及びトップカバー５を通してホストコンピュータのアース経路に安全にアースされる。これにより、静電気によってメイン基板３０等の回路上を流れているディスクフォーマット上の信号等の微弱な信号が破壊されることを未然に防止することができて、光ディスクドライブ１の高信頼性を確保できる。それでいて、与圧バネ４７をアース手段に兼用しているので、専用のアース手段を新たに追加する必要がなく、部品点数及び組立工数の増加を招くことなく、低コストで、高信頼性の光ディスクを実現できる。
【００５３】
（８）・・・  ドローワのディスク保護部材の説明
次に、図１９、図２７及び図２８によって、ドローワ本体６ａに付設されたディスク保護部材について説明する。
まず、図１８に示すように、ドローワ本体６ａの幅Ｗ4 が光ディスク２の直径Ｄより小さく、光ディスク２をドローワ６のディスクテーブル１２上に装着した時に、その光ディスク２の右側がドローワ本体６ａの右側に、その光ディスク２の１／４以下の食み出し量Ｐ3 で食み出すような光ディスクドライブ１にあっては、図２８の（Ａ）に示すように、光ディスク２をディスクテーブル１２にセルフチャッキング方式で装着する際に、光ディスク２を不用意に傾けたまま装着しようとした場合には、その光ディスク２のデータ記録面２ａがドローワ本体６ａの光ディスク２が食み出す側の固いエッジ６ｈに衝突して簡単に傷つけられたり、衝撃で破損されてしまう。また、図２８の（Ｂ）に示すように、光ディスク２をディスクテーブル１２上に水平に装着する場合でも、その装着力が強過ぎて、光ディスク２の外周側２ｂが下方にバウンドするようなことがあると、やはり、その光ディスク２のデータ記録面２ｂがドローワ本体６ａの光ディスク２が食み出す側の固いエッジ６ｈに衝突して簡単に傷つけられたり、衝撃で破損されてしまう。更に、図２８の（Ｃ）に示すように、光ディスク２をディスクテーブル１２上から取り外す場合でも、光ディスク２を不用意に傾けてしまうようなことがあると、やはり、その光ディスク２のデータ記録面２ａがドローワ本体６ａの光ディスク２が食み出す側の固いエッジ６ｈに衝突して簡単に傷つけられたり、衝撃で破損されてしまい、データの信頼性を極度に低下させてしまう。
【００５５】
そこで、この光ディスクドライブ１では、図１８及び図２７に示すように、ドローワ本体６ａの光ディスク２が食み出す側のエッジ６ｈに沿ってディスク保護部材１２１を接着、ネジ止め、突起や穴嵌合等の機械的な係止手段による係止方法、或いはコーティング等によって付設したものである。なお、このディスク保護部材１２１はゴム系、ウレタン系等の保護部材で構成するのが好ましいが、非弾性部材で構成することもできる。
【００５６】
このように、ドローワ本体６ａのエッジ６ｈにディスク保護部材１２１を付設しておけば、図２７に示すように、ディスクテーブル１２に対する光ディスク２の脱着時に、光ディスク２が不用意に傾いたり、光ディスク２の外周２ｂが下方にバウンドする等して、その光ディスク２の記録面２ａが固いエッジ６ｈに衝突されようとした時に、その記録面２ａはディスク保護部材１２１に衝突されることになって、その記録面２ａが固いエッジ６ｈに直接衝突されて傷つけられたり、衝撃で破損されることを未然に防止することができる。従って、光ディスク２に対するデータの記録（書込み）及び／又は再生（読み取り）の信頼性を著しく向上させることができると共に、光ディスク２の耐久性も著しく向上させることができる。そして、ディスク保護部材１２１をゴム系、ウレタン系等の弾性部材で構成すれば、光ディスク２がディスク保護部材１２１に衝突された時の衝突力を緩和して、その衝突による光ディスク２の破損も未然に防止できる。
【００５７】
（９）・・・  ドライブ本体のボトムシャーシとトップカバーの組立構造の説明
次に、図３〜図７、図２９〜図３３によって、ドライブ本体３の外筐を構成するボトムシャーシ４とトップカバー５の組立て構造について説明する。
即ち、トップカバー５の右側部５ａの下端縁で、前後方向（矢印ａ、ｂ方向）の両端近傍位置に内側（左方向）に向って水平に折り曲げられた２つの突片１３１が形成されていて、左側部５ｂの下端縁で、前端側の２箇所に内側（右方向）に向って水平に折り曲げられた２つの突片１３２が形成されていて、後側部５ｃの下端縁で、右側端部に内側（前方）に向って水平状に折り曲げられた１つの突片１３３が形成されている。そして、ボトムシャーシ４の左右両側部４ａ、４ｂ及び後側部４ｃで上記した合計５つの突片１３１、１３２、１３３に対向する位置に、合計５つのスリット１３４、１３５、１３６が水平に形成されている。そして、これら突片１３１、１３２、１３３とスリット１３４、１３５、１３６によって合計５つのスライド係合手段１３７、１３８、１３９が構成されている。そして、右側のスリット１３４は右側の突片１３１の前後方向の長さより長く構成されていて、右側のスリット１３５の後端には切欠き１３６が隣接して形成されている。なお、この実施の形態では、各切欠き１３６の上端に内側（右方向）へ折り曲げられた接続片１４１が一体に形成されていて、切欠き１３６を形成することによる左側部４ｂの強度低下を防止している。そして、トップカバー５の上面で左側部５ｂと後側部５ｃとのコーナ部分にネジ挿通穴１４２が形成されていて、ボトムシャーシ４の左側部４ｂの後端に内側（右方向）に向って水平に折り曲げられたネジ止め片１４４にタッピング穴１４４が形成されている。そして、スライド阻止手段として止ネジ１４５が使用されている。
【００５８】
そして、ボトムシャーシ４にトップカバー５を組み立てる時には、図２９及び図３０（Ａ）に示すように、トップカバー５の後側の突片１３３がボトムシャーシ４の後側部４ｃの上部に衝突しない程度に、トップカバー５をボトムシャーシ４に対して後方である矢印ａ方向に少しずらせた状態で、右側の２つの突片１３１を右側の２つのスリット１３４に斜め下方から矢印ｎ方向に斜めに係合する。そして、これら右側の２つの突片１３１とスリット１３４によって機能するヒンジ機能を利用して、図２９に１点鎖線で示すと共に、図３０の（Ｂ）に示すように、トップカバー５を矢印ｏ方向に回転して、図３２に実線で示すように、トップカバー５をボトムシャーシ４の上部に水平に重ねる。
【００５９】
すると、図３１の（Ａ）（Ｂ）（Ｃ）（Ｄ）に示すように、トップカバー５の左右両側部５ａ、５ｂがボトムシャーシ４の左右両側部４ａ、４ｂの外側に重ねられて、トップカバー５の左側の２つの突片１３２がボトムシャーシ４の左側の２つの切欠き１４０内に矢印ｏ方向から挿入される。そこで、図３２に１点鎖線で示すように、トップカバー５をボトムシャーシ４上で、正規の組立位置まで前方である矢印ｂ方向にスライドして、トップカバー５の後側部５ｃをボトムシャーシ４の後側部４ｃに矢印ｂ方向から当接する。すると、図３３の（Ａ）（Ｂ）（Ｃ）に示すように、右側の２つの突片１３１が右側の２つのスリット１３４内で矢印ｂ方向にスライドされながら、左側の２つの突片１３２が右側の２つのスリット１３５に矢印ｂ方向から係合されると共に、後側の１つの突片１３３が後側の１つのスリット１３６に矢印ｂ方向から係合される。
【００６０】
以上で、合計５つのスライド係合手段１３７、１３８、１３９が完全係合状態となり、これらのスライド係合手段１３７、１３８、１３９によってボトムシャーシ４に対するトップカバー５の浮き上りが阻止されることになり、トップカバー５がボトムシャーシ４の正規の組立位置まで矢印ｂ方向にスライドされたことによって、トップカバー５のネジ挿通穴１４２がボトムシャーシ４のタッピング穴１４４の真上位置へ移動される。そこで、１本の止ネジ１４５をネジ挿通穴１４２に上方から挿入してタッピング穴１４４に締結すると、ボトムシャーシ４に対するトップカバー５の矢印ｂ方向へのスライド復帰がその１本の止ネジ１４５によって阻止されて、トップカバー５がボトムシャーシ４に組立完了される。
【００６１】
従って、この光ディスクドライブ１によれば、最少限の締結手段である１本の止ネジ１４５によって、ボトムシャーシ４とトップカバー５を極めて簡単に組み立てることができて、部品点数及び組立工数を削減して、低コスト化を図ることができると共に、組立作業の向上による生産性の向上を実現できる。それでいて、ボトムシャーシ４とトップカバー５の上下方向については、主として合計５つのスライスド係合部１３７、１３８、１３９によって強固に締結することができ、１本の止ネジ１４５はボトムシャーシ４に対するトップカバー５の矢印ａ方向へのスライドのみを阻止すれば良い。
【００６２】
そして、この光ディスクドライブ１をホストコンピュータに組み込んだ時には、ボトムシャーシ４とトップカバー５との間に、これらを上下方向に相互に引き離そうとする大きな引き離し荷重が作用するが、その大きな引き離しを合計５つのスライド係合手段１３７、１３８、１３９で強固に受け止めることができ、１本の止ネジ１４５にはその大きな引き離し荷重が殆んど作用しないので、１本の止ネジ１４５を用いながら、ボトムシャーシ４にトップカバー５を強固に組み立てることができて、高強度のドライブ本体を実現できる。なお、この実施形態では、スライド阻止手段として、止ネジ１４５を用いたが、スナップピンその他引っ掛け手段等の各種の係止具を使用することが可能である。
【００６３】
以上、本発明の実施形態について説明したが、本発明は上記した実施の形態に限定されることなく、本発明の技術的思想に基づいて各種の変更が可能である。例えば、上記した実施の形態ではディスク移送手段としてスピンドルモータ１１等が搭載されたドローワ６を用いたが、光ディスク２を単に乗せてドライブ本体３に対して出し入れするトレイに構成しても良い。また、本発明は光ディスクドライブに限定されることなく、各種のディスク状記録媒体を記録及び／又は再生する各種のディスクドライブに適用可能である。
【００６４】
【発明の効果】
以上のように構成された本発明のディスクドライブは、少なくとも記録及び／又は再生手段からの出力信号を処理する信号処理基板をディスク移送部材に取り付けることによって、その記録及び／又は再生手段と信号処理基板との間を最短距離に設定することができて、その記録及び／又は再生手段からの出力信号が信号処理基板との間で劣化したり、ノイズの飛び込みが発生することを極力防止することができる。
しかも、ディスク移送部材のスピンドルモータの下部を記録及び／又は再生手段の下部より高くすることにより、ディスク移送部材のスピンドルモータ側の下部に上下の段差部を形成して、少なくとも記録及び／又は再生手段からの出力信号を処理する信号処理基板をディスク移送部材のスピンドルモータ側の下部の段差部内に配置したことによって、ディスク移送部材の薄型化を促進し、更に、ディスク移送部材がドライブ本体内に収容された時に、スピンドルモータのディスクテーブルの上端のセンターリングガイドの上部に配置されるディスクテーブル逃げ穴をドライブ本体のトップカバーに形成して、ディスク移送部材に複数のインシュレータによって振動的に浮かされた状態に搭載されているスピンドルモータが上下方向に振動した場合でも、ディスクテーブルのセンターリングガイドをそのトップカバーのディスク逃げ穴内に逃がすようにして、そのセンターリングガイドがトップカバーに衝突される危険を回避するように構成したことによって、ドライブ本体も薄型化を促進したことにより、ディスクドライブ全体の薄型化を確保できる。
更に、このディスクドライブ全体の薄型化に伴い、ドライブ本体に対してディスク移送部材が出し入れされる際に、ディスク移送部材の信号処理基板とドライブ本体内の下部に取り付けられたインターフェース基板との間にほぼｕ字状に接続されているフレキシブルプリント基板がドライブ本体のトップカバーの下面に接触されながら移動して、そのトップカバーに形成されているディスクテーブル逃げ穴の内側エッジに接触してダメージを受け易いが、トップカバーの下面でディスクテーブル逃げ穴の両側に、ドライブ本体に対するディスク移送部材の出し入れ方向と平行に形成されている２本のリブにフレキシブルプリント基板を乗り上げさせることができるので、フレキシブルプリント基板がディスクテーブル逃げ穴の下側のエッジに接触することを未然に防止することができ、フレキシブルプリント基板の損傷を防止し、その耐久性を増大することができ、ディスクドライブの高信頼性を確保できる。
【図面の簡単な説明】
【図１】本発明を適用したドローワ方式の光ディスクドライブのドローワをドライブ本体外へ引き出した時の斜視図である。
【図２】同上の光ディスクドライブのドローワをドライブ本体内に押し込んだ時の斜視図である。
【図３】同上の光ディスクドライブの図２の上面図である。
【図４】同上の光ディスクドライブの図３のＡ−Ａ矢視での正面図である。
【図５】同上の光ディスクドライブの図３のＢ−Ｂ矢視での背面図である。
【図６】同上の光ディスクドライブの図３のＣ−Ｃ矢視での右側面図である。
【図７】同上の光ディスクドライブの図３のＤ−Ｄ矢視での左側面図である。
【図８】同上の光ディスクドライブのトップカバー、ボトムシャーシ及びガイドレールを示した分解斜視図である。
【図９】同上の光ディスクドライブのドローワ、光学ピックアップ、メイン基板、シールド板、ドローワロック及びイジェクト機構を示した分解斜視図である。
【図１０】同上の光ディスクドライブのスピンドルモータ及び光学ピックアップが構成されたユニットシャーシを示した斜視図である。
【図１１】図１０の上面図である。
【図１２】図１０の下面図である。
【図１３】図１０の分解斜視図である。
【図１４】同上の光ディスクドライブのスレッド移送機構ユニットを示した上面図である。
【図１５】図１４のスレッド移送機構ユニットの分解斜視図である。
【図１６】図１４のＥ−Ｅ矢視での拡大断面図と、その拡大断面図のＦ−Ｆ矢視での断面図である。
【図１７】同上のスレッド移送機構ユニットから発展したスキュー調整機構を説明する側面図である。
【図１８】同上の光ディスクドライブのドローワをドライブ本体から引き出した時で、トップカバーを外した状態の平面図である。
【図１９】同上の光ディスクドライブのドローワをドライブ本体から押し込んだ時で、トップカバーを外した状態の平面図である。
【図２０】図１９の光ディスクドライブの下面図である。
【図２１】図１９の光ディスクドライブのシールド板を外した状態の下面図である。
【図２２】図２０の光ディスクドライブのドライブ本体の薄型化を説明する図１８のＧ−Ｇ矢視での拡大断面図である。
【図２３】同上の光ディスクドライブのフレキシブルプリント基板及びトップカバーの関係を説明する図１９のＨ−Ｈ矢視での断面図と、その断面図の要部拡大図と、その要部拡大図のＩ−Ｉ矢視での断面図である。
【図２４】同上の光ディスクドライブにおけるドローワロック及びイジェクト機構を説明する一部切欠き上面図である。
【図２５】図２４のＪ−Ｊ矢視での断面図である。
【図２６】同上の光ディスクドライブのスラスト用与圧バネによるアース取り方法を説明する断面図である。
【図２７】同上の光ディスクドライブのドローワに付設されたディスク保護部材を説明するための図１９のＫ−Ｋ矢視での断面図である。
【図２８】ドローワに対するディスクの脱着時におけるディスクの傷つき状況を説明するための図面である。
【図２９】同上の光ディスクドライブのボトムシャーシに対するトップカバーの組立順序の初期段階を説明する斜視図である。
【図３０】図２９のボトムシャーシとトップカバーの右側のスライド係合部を説明する図２９のＬ−Ｌ矢視での断面図及びＭ−Ｍ矢視での一部切欠き右側面図である。
【図３１】図２９のボトムシャーシとトップカバーの左側のスライド係合部を説明する図２９のＮ−Ｎ矢視での断面図、Ｏ−Ｏ矢視での一部切欠き左側面図及びＰ−Ｐ矢視での一部切欠き上面図である。
【図３２】図２９に引き続くボトムシャーシに対するトップカバーの組立順序の最終段階を説明する斜視図である。
【図３３】図３２のＱ−Ｑ矢視での一部切欠き右側面図、Ｒ−Ｒ矢視での一部切欠き左側面図及びＳ−Ｓ矢視での断面図である。
【図３４】現在の光ディスクドライブにおけるドローワに搭載されている光学ピックアップとドライブ本体のインタフェース基板との間の電気的な接続構造を説明する一部切欠き斜視図である。
【符号の説明】
１はディスクドライブである光ディスクドライブ、２はディスク状記録媒体である光ディスク、３はドライブ本体、４はドライブ本体のボトムカバー、５はドライブ本体のトップカバー、６はディスク移送部材であるドローワ、１１はスピンドルモータ、１２はディスクテーブル、１５は記録及び／又は再生手段である光学ピックアップ、２９は信号処理基板であるメイン基板、８１はディスクテーブル逃げ穴、８４はメイン基板にマウントされたコネクター、８６はインターフェース基板、８７はインターフェース基板にマウントされたコネクター、８８及び１５２は可撓性を有する接続手段であるフレキシブルプリント基板、８９はリブ、１５１は段差部、１５４は脱着操作用工具の挿入穴である。
【図１】
0004110678.tif 000002
【図２】
0004110678.tif 000003
【図３】
0004110678.tif 000004
【図４】
0004110678.tif 000005
【図５】
0004110678.tif 000006
【図６】
0004110678.tif 000007
【図７】
0004110678.tif 000008
【図８】
0004110678.tif 000009
【図９】
0004110678.tif 000010
【図１０】
0004110678.tif 000011
【図１１】
0004110678.tif 000012
【図１２】
0004110678.tif 000013
【図１３】
0004110678.tif 000014
【図１４】
0004110678.tif 000015
【図１５】
0004110678.tif 000016
【図１６】
0004110678.tif 000017
【図１７】
0004110678.tif 000018
【図１８】
0004110678.tif 000019
【図１９】
0004110678.tif 000020
【図２０】
0004110678.tif 000021
【図２１】
0004110678.tif 000022
【図２２】
0004110678.tif 000023
【図２３】
0004110678.tif 000024
【図２４】
0004110678.tif 000025
【図２５】
0004110678.tif 000026
【図２６】
0004110678.tif 000027
【図２７】
0004110678.tif 000028
【図２８】
0004110678.tif 000029
【図２９】
0004110678.tif 000030
【図３０】
0004110678.tif 000031
【図３１】
0004110678.tif 000032
【図３２】
0004110678.tif 000033
【図３３】
0004110678.tif 000034
【図３４】
0004110678.tif 000035